(57)【要約】【課題】外部電源からの電源供給が動作電源となる子機への電源供給が停止されたことを、ナースコール親機にて呼出報知する。【解決手段】子機１ａ、１ｂ、・・・、２ａ、２ｂ、・・・、・・・と外部電源４０とを結ぶ電源ケーブル４１の脱落や断線等により、外部電源から子機への電源供給が停止されたことを検出した電源脱落検出回路７７は、低インピーダンス素子回路７８ａを制御して子機と廊下灯とを結ぶ２線ケーブル間を低インピーダンスにし、これを検出した廊下灯は、ナースコール親機にて呼び出しを報知させる。【選択図】　図２
2004112015.tif 000002
【特許請求の範囲】
【請求項１】
外部電源（４０）から電源供給されて動作し病室内のベッド毎に設置され患者が看護師を呼び出すための子機（１ａ、１ｂ、・・・、２ａ、２ｂ、・・・、・・・）と、各病室の出入口近傍に設置され前記子機からの呼び出しを表示するための呼出表示機能を有する廊下灯（２１、２２、・・・）と、ナースステーション内に設置され前記子機からの呼び出しを報知するための呼出報知機能を有するナースコール親機（３０）と、前記ナースコール親機を制御するための制御機（３１）とを備え、
前記子機は、前記外部電源からの電源供給が停止されたことを検出して前記ナースコール親機へ前記呼び出しを報知するための電源脱落検出回路（７７）を有することを特徴とするナースコール装置。
【請求項２】
前記子機は、前記外部電源からの電源供給が停止されたとき前記電源脱落検出回路により前記子機と前記廊下灯との間を結ぶ２線ケーブル間を低インピーダンスにし、前記廊下灯側で前記２線ケーブルの電圧を検出して前記呼び出しを前記ナースコール親機にて報知するための低インピーダンス素子回路（７８ａ）を有することを特徴とする請求項１記載のナースコール装置。
【請求項３】
外部電源（４０）から電源供給されて動作し病室内のベッド毎に設置され患者が看護師を呼び出すための子機（１ａ、１ｂ、・・・、２ａ、２ｂ、・・・、・・・）と、ナースステーション内に設置され前記子機からの呼び出しを報知するための呼出報知機能を有する制御機能付ナースコール親機（８０）とを備え、
前記子機は、前記外部電源からの電源供給が停止されたことを検出して前記制御機能付ナースコール親機へ前記呼び出しを報知するための電源脱落検出回路（７７）を有することを特徴とするナースコール装置。
【請求項４】
前記子機は、前記外部電源からの電源供給が停止されたとき前記電源脱落検出回路により前記子機と前記制御機能付ナースコール親機との間を結ぶ２線ケーブル間を低インピーダンスにし、前記制御機能付ナースコール親機側で前記２線ケーブルの電圧を検出して前記呼び出しを報知するための低インピーダンス素子回路（７８ａ）を有することを特徴とする請求項３記載のナースコール装置。
【発明の詳細な説明】
【０００１】
【発明の属する技術分野】
本発明はナースコール装置に係り、特に、看護師を呼び出すために患者が使用する子機への電源供給が停止されたことを、ナースステーション内に設置されたナースコール親機にて呼出報知できるナースコール装置に関する。
【０００２】
【従来の技術】
従来から、この種のナースコール装置に適用される脱落・断線検出方法として、脱落・断線警報を発報する必要のないときには、発報しないベッド位置に対応する不要なダミー子機アダプタを設置したり、集合廊下アダプタ内の配線と子機アダプタ台数設定回路の設定台数を変更することなく、脱落・断線警報発報を回避できるようにしたナースコール装置の子機アダプタ脱落・断線検出方法が提案されている。
【０００３】
従来例としてのナースコール装置の子機アダプタ脱落・断線検出方法によれば、ナースコール親機からの電源投入（電源供給）時において、集合廊下アダプタからのポーリング処理データを各子機アダプタにて受信させ、このポーリング処理データが各子機アダプタにて受信できたときには当該子機アダプタを脱落・断線対象とする、一方、受信できなかったときには当該子機アダプタを脱落・断線対象外としてそれぞれ登録する。その後、ポーリング処理データの送信によるポーリング処理アンサーデータの受信ができない場合において、送信先が脱落・断線対象外の当該子機アダプタであると、脱落・断線警報情報が回避される。また、ポーリング処理データの再送信によるポーリング処理アンサーデータの受信ができた場合において、再送信先が脱落・断線対象の当該子機アダプタであると、電源投入後、新たに接続された脱落・断線対象の当該子機アダプタとして再登録される。また、ポーリング処理データの送信によるポーリング処理アンサーデータの受信ができた場合において、送信先が脱落・断線対象の当該子機アダプタであると、受信されたポーリング処理アンサーデータによりナースコール子機が脱落されたか否かを判別でき、ナースコール子機の脱落が判別されたときには脱落・断線警報が発報される（例えば、特許文献１参照）。
【０００４】
【特許文献１】特開平８−２４２３０３号公報（第３−４頁）
【発明が解決しようとする課題】
しかしながら、従来例としてのナースコール装置の子機アダプタ脱落・断線検出方法において、脱落が判別されるナースコール子機は、ナースコール親機から電源投入（電源供給）されたナースコール子機であり、外部電源から電源投入（電源供給）されるナースコール子機には対応できなかった。
【０００５】
本発明は、上述の難点を解消するためになされたもので、外部電源からの電源供給が動作電源となる子機への電源供給が停止されたことを、ナースコール親機にて呼出報知できるナースコール装置を提供することを目的としている。
【０００６】
【課題を解決するための手段】
上述の目的を達成するため、本発明のナースコール装置は、外部電源から電源供給されて動作し病室内のベッド毎に設置され患者が看護師を呼び出すための子機と、各病室の出入口近傍に設置され子機からの呼び出しを表示するための呼出表示機能を有する廊下灯と、ナースステーション内に設置され子機からの呼び出しを報知するための呼出報知機能を有するナースコール親機と、ナースコール親機を制御するための制御機とを備えている。子機は、外部電源からの電源供給が停止されたことを検出してナースコール親機へ呼び出しを報知するための電源脱落検出回路を有する。
【０００７】
このようなナースコール装置によれば、子機と外部電源とを結ぶ電源ケーブルの脱落や断線等により、外部電源から子機への電源供給が停止されたことを電源脱落検出回路にて検出でき、この電源供給の停止は、廊下灯、制御機を介してナースコール親機にて呼出報知される。
【０００８】
また、本発明のナースコール装置において、子機は、外部電源からの電源供給が停止されたとき電源脱落検出回路により子機と廊下灯との間を結ぶ２線ケーブル間を低インピーダンスにし、廊下灯側で２線ケーブルの電圧を検出して呼び出しをナースコール親機にて報知するための低インピーダンス素子回路を有する。
【０００９】
このようなナースコール装置によれば、外部電源からの電源供給が停止されたことを検出した子機の電源脱落検出回路により低インピーダンス素子回路が制御され、子機と廊下灯とを結ぶ２線ケーブル間が低インピーダンスとなり、これを検出した廊下灯によりナースコール親機では呼出報知が行われる。
【００１０】
また、本発明のナースコール装置は、外部電源から電源供給されて動作し病室内のベッド毎に設置され患者が看護師を呼び出すための子機と、ナースステーション内に設置され子機からの呼び出しを報知するための呼出報知機能を有する制御機能付ナースコール親機とを備えている。子機は、外部電源からの電源供給が停止されたことを検出して制御機能付ナースコール親機へ呼び出しを報知するための電源脱落検出回路を有する。
【００１１】
このようなナースコール装置によれば、子機と外部電源とを結ぶ電源ケーブルの脱落や断線等により、外部電源から子機への電源供給が停止されたことを電源脱落検出回路にて検出でき、この電源供給の停止は、制御機能付ナースコール親機にて呼出報知される。
【００１２】
また、本発明のナースコール装置において、子機は、外部電源からの電源供給が停止されたとき電源脱落検出回路により子機と制御機能付ナースコール親機との間を結ぶ２線ケーブル間を低インピーダンスにし、制御機能付ナースコール親機側で２線ケーブルの電圧を検出して呼び出しを報知するための低インピーダンス素子回路を有する。
【００１３】
このようなナースコール装置によれば、外部電源からの電源供給が停止されたことを検出した子機の電源脱落検出回路により低インピーダンス素子回路が制御され、子機と制御機能付ナースコール親機とを結ぶ２線ケーブル間が低インピーダンスとなり、これを検出した制御機能付ナースコール親機では呼出報知が行われる。
【００１４】
【発明の実施の形態】
以下、本発明のナースコール装置を適用した好ましい形態の実施例について、図面を参照して説明する。
【００１５】
図１は、本発明の第１の実施例によるナースコール装置を示す全体構成図である。
【００１６】
図１の全体構成図に示すナースコール装置は、病室内のベッド毎、ここでは、１０１号室内、１０２号室内、・・・でベッド番号が「１」、「２」、・・・、「１」、「２」、・・・、・・・のようにそれぞれ割り当てられたベッド毎に設置され、電源ケーブル４１を介して接続された外部電源４０からの電源供給が動作電源となり、ベッド毎の患者が看護師、例えば、ナースステーション内に居る看護師を音声で呼び出すための子機１ａ、１ｂ、・・・、２ａ、２ｂ、・・・、・・・と、２線ケーブルを構成する子機接続ラインＬ１ａ、Ｌ１ｂ、・・・、Ｌ２ａ、Ｌ２ｂ、・・・、・・・を介して接続された子機１ａ、１ｂ、・・・、２ａ、２ｂ、・・・、・・・とともに病室内のベッド毎に設置、通常、ベッド毎の壁面に設置されており、ベッド毎の患者が上述の看護師との間で通話を成立させるためのプレート子機１１ａ、１１ｂ、・・・、１２ａ、１２ｂ、・・・、・・・と、各病室の出入口近傍に設置されており、２線ケーブルを構成するプレート子機接続ラインＬ１１ａ、Ｌ１１ｂ、・・・、Ｌ１２ａ、Ｌ１２ｂ、・・・、・・・、プレート子機１１ａ、１１ｂ、・・・、１２ａ、１２ｂ、・・・、・・・、２線ケーブルを構成する子機接続ラインＬ１ａ、Ｌ１ｂ、・・・、Ｌ２ａ、Ｌ２ｂ、・・・、・・・を介して子機１ａ、１ｂ、・・・、２ａ、２ｂ、・・・、・・・からの音声による呼び出し、または外部電源４０から電源ケーブル４１を介して子機１ａ、１ｂ、・・・、２ａ、２ｂ、・・・、・・・への電源供給の停止による呼び出しを検出し、その旨の呼出表示を行うための廊下灯２１、２２、・・・と、ナースステーション内に設置されており、子機１ａ、１ｂ、・・・、２ａ、２ｂ、・・・、・・・からの音声による呼び出し、または外部電源４０から電源ケーブル４１を介して子機１ａ、１ｂ、・・・、２ａ、２ｂ、・・・、・・・への電源供給の停止による呼び出しがある旨を呼出報知（呼出表示／発報）し、これらの呼び出し確認した看護師が呼出元の患者との間で通話を成立させるためのナースコール親機３０と、２線ケーブルを構成する廊下灯接続ラインＬ２０上に接続、例えば、渡り配線接続された廊下灯２１、２２、・・・、２線ケーブルを構成する親機接続ラインＬ２１を介して接続されたナースコール親機３０をそれぞれ制御するための制御機３１とで構成されている。
【００１７】
図２は、本発明の第１の実施例によるナースコール装置において、子機１ａ、１ｂ、・・・、２ａ、２ｂ、・・・、・・・の具体的な構成を示すブロック図である。
【００１８】
図１の全体構成図および図２のブロック図において、子機１ａ、１ｂ、・・・、２ａ、２ｂ、・・・、・・・はそれぞれ同様な構成であり、フレキシブルパイプ５３を介して離間されて接続される感知部５１と本体５２とで構成されている。
【００１９】
また、図２のブロック図において、子機１ａ、１ｂ、・・・、２ａ、２ｂ、・・・、・・・を構成する感知部５１は、上述の看護師を呼び出すためのベッド毎の患者による音声（以下、呼出音声という。）を感知する第１のマイク６０を有する。
【００２０】
さらに、図２のブロック図において、子機１ａ、１ｂ、・・・、２ａ、２ｂ、・・・、・・・を構成する本体５２は、ベッド毎の環境下で発生したノイズ等の周囲音を感知するための第２のマイク７０と、プレキシブルパイプ５３を介して離間されて接続されている感知部５１の第１のマイク６０に入力された音声を増幅するための第１のマイクアンプ７１と、第２のマイク７０に入力された周囲音を増幅するための第２のマイクアンプ７２と、第１のマイクアンプ７１を介して増幅された音声をなす音声信号を直流レベルに変換するための第１のレベル変換回路７３と、第２のマイクアンプ７２を介して増幅された周囲音をなす周囲音信号を直流レベルに変換するための第２のレベル変換回路７４と、第１、第２の各レベル変換回路７３、７４から出力される直流レベルを比較し、比較された直流レベルに応じて後述する子機インターフェース７８を構成する低インピーダンス素子回路７８ａのスイッチ素子を切り換えるためのリレー７５ａを備えた直流レベル比較回路７５と、電源ケーブル４１を介して接続された外部電源４０からの電源供給を安定化させ、安定化させた電源を当該子機の構成各部／回路へ動作電源として供給するための電源回路７６と、当該子機と外部電源４０とを結ぶ電源ケーブル４１の脱落や断線等により、外部電源４０からの電源供給が停止されたことを検出し、直流レベル比較回路７５のリレー７５ａの制御と同様、後述する子機インターフェース７８を構成する低インピーダンス素子回路７８ａのスイッチ素子を切り換えるためのリレー７７ａを備えた電源脱落検出回路７７と、直流レベル比較回路７５のリレー７５ａ、または電源脱落検出回路７７のリレー７７ａの制御により切り換えられ、子機接続ラインＬ１ａ、Ｌ１ｂ、・・・、Ｌ２ａ、Ｌ２ｂ、・・・、・・・の２線ケーブル間および子機接続ラインＬ１ａ、Ｌ１ｂ、・・・、Ｌ２ａ、Ｌ２ｂ、・・・、・・・、図１の全体構成図に示すプレート子機１１ａ、１１ｂ、・・・、１２ａ、１２ｂ、・・・、・・・を介してプレート子機接続ラインＬ１１ａ、Ｌ１１ｂ、・・・、Ｌ１２ａ、Ｌ１２ｂ、・・・、・・・の２線ケーブル間を高インピーダンス、または低インピーダンスとするためにブレイク、またはメイクされるスイッチ素子にて構成される低インピーダンス素子回路７８ａを備えた子機インターフェース（以下、子機Ｉ／Ｆという。）７８とが備えられている。
【００２１】
このように構成された本発明の第１の実施例によるナースコール装置において、以下、具体的な動作について図面を参照して説明する。
【００２２】
本発明の第１の実施例によるナースコール装置の第１の動作として、図１の全体構成図および図２のブロック図に示す子機１ａ、１ｂ、・・・、２ａ、２ｂ、・・・と外部電源４０とを結ぶ電源ケーブル４１が脱落や断線していない場合等、すなわち、正常給電時において、外部電源４０からの電源は、電源ケーブル４１を介して子機１ａ、１ｂ、・・・、２ａ、２ｂ、・・・、・・・の本体５２にそれぞれ供給され、この電源は、図２のブロック図に示す本体５２の電源回路７６を介して安定化された後、当該子機の構成各部／回路の動作電源となる。また、上述の正常給電時において、子機Ｉ／Ｆ７８の低インピーダンス素子回路７８ａを構成するスイッチ素子はブレイクされており、子機接続ラインＬ１ａ、Ｌ１ｂ、・・・、Ｌ２ａ、Ｌ２ｂ、・・・、・・・の２線ケーブル間および子機接続ラインＬ１ａ、Ｌ１ｂ、・・・、Ｌ２ａ、Ｌ２ｂ、・・・、・・・、図１の全体構成図に示すプレート子機１１ａ、１１ｂ、・・・、１２ａ、１２ｂ、・・・、・・・を介してプレート子機接続ラインＬ１１ａ、Ｌ１１ｂ、・・・、Ｌ１２ａ、Ｌ１２ｂ、・・・、・・・の２線ケーブル間は高インピーダンスである。
【００２３】
上述のような正常給電時における待受状態において、図１の全体構成図および図２のブロック図に示す子機１ａ、１ｂ、・・・、２ａ、２ｂ、・・・、・・・のうち、１０１号室内でベッド番号が「１」のベッドに設置されている図２のブロック図に示す子機１ａの直流レベル比較回路６５は、感知部５１の第１のマイク６０に入力された後、フレキシブルパイプ５３、本体５２の第１のマイクアンプ７１を介して伝送されてくる音声信号、または周囲音信号について第１のレベル変換回路６３にて変換させた直流レベルＶ１と、第２のマイク７０に入力された後、第２のマイクアンプ７２を介して伝送されてくる音声信号、または周囲音信号について第２のレベル変換回路７４にて変換させた直流レベルＶ２とを比較し、直流レベルがＶ１＞Ｖ２の場合、すなわち、第１、第２の各マイク６０、７０への入力が看護師を呼び出すための患者からの呼出音声であり、患者の口元と第１、第２の各マイク６０、７０への距離の差異に応じて第１のマイク６０に入力された呼出音声の入力電圧が第２のマイク７０に入力された呼出音声の入力電圧よりも高い場合にのみ、これを検出した直流レベル比較回路７５のリレー７５ａの制御により、子機Ｉ／Ｆ７８の低インピーダンス素子回路７８ａを構成するスイッチ素子が切り換えられてメイクされることにより、子機接続ラインＬ１ａの２線ケーブル間および子機接続ラインＬ１ａ、図１の全体構成図に示すプレート子機１１ａを介してプレート子機接続ラインＬ１１ａの２線ケーブル間は低インピーダンスとなる。また、２線ケーブル間が低インピーダンスの子機接続ラインＬ１ａには、呼出信号Ｓ１が出力される。この呼出信号Ｓ１は、プレート子機１１ａ、２線ケーブル間が低インピーダンスのプレート子機接続ラインＬ１１ａを介して廊下灯２１に伝送される。
【００２４】
なお、図２のブロック図に示す子機１ａにおいて、上述の直流レベルがＶ１＜Ｖ２の場合、すなわち、第１、第２の各マイク６０、７０への入力がベッドの環境下で発生したノイズ等の周囲音、例えば、ドアの開成音の場合には、これを検出した直流レベル比較回路７５のリレー７５ａは、子機Ｉ／Ｆ７８の低インピーダンス素子回路７８ａを構成するスイッチ素子をブレイクのまま保持させることにより、子機接続ラインＬ１ａの２線ケーブル間および子機接続ラインＬ１ａ、図１の全体構成図に示すプレート子機１１ａを介してプレート子機接続ラインＬ１１ａの２線ケーブル間についても高インピーダンスのまま保持されて呼出信号Ｓ１の伝送もなく、ゆえに、呼出元の環境下で発生した周囲音による誤った呼び出しを防止できる。
【００２５】
図１の全体構成図において、プレート子機１１ａからの呼出信号Ｓ１が入力された廊下灯２１は、子機接続ラインＬ１ａの２線ケーブル間および子機接続ラインＬ１ａ、プレート子機１１ａを介してプレート子機接続ラインＬ１１ａの２線ケーブル間が低インピーダンスであることを検出するとともに、プレート子機接続ラインＬ１１ａに予め割り当てられているベッド番号「１」に該当するベッドの患者から呼び出しがある旨を１０１号室の出入口近傍に居る人物、例えば、巡回中の看護師に対して呼出報知させるため、表示灯（図示せず）を点滅／点灯して呼出表示を行い、併せて、呼出信号Ｓ１に病室番号「１０１」およびベッド番号「１」を付加させた呼出信号Ｓ１ａを出力する。この呼出信号Ｓ１ａは、２線ケーブルを構成する廊下灯接続ラインＬ２０、制御機３１、２線ケーブルを構成する親機接続ラインＬ２１を介してナースコール親機３０に伝送される。
【００２６】
図１の全体構成図において、廊下灯２１からの呼出信号Ｓ１ａが入力されたナースコール親機３０は、呼出信号Ｓ１ａに含まれている病室番号「１」およびベッド番号「１」に該当するベッドの患者から呼び出しがある旨をナースステーション内に居る看護師に対して呼出報知させるため、該当する表示灯（図示せず）を点滅／点灯して呼出表示を行うとともに、呼出音を鳴動して呼出発報を行う。また、上述の呼出報知（呼出表示／発報）を確認した看護師が、ナースコール親機３０にて適宜、呼出応答、例えば、ハンドセットを取り上げると、このハンドセットと、２線ケーブルを構成する親機接続ラインＬ２１、制御機３１、２線ケーブルを構成する廊下灯接続ラインＬ２０、廊下灯２１、２線ケーブルを構成するプレート子機接続ラインＬ１１ａを介してプレート子機１１ａの通話機能（詳述せず）との間の通話路が形成され、形成された通話路を介して音声信号を送受信させることにより通話が成立する。
【００２７】
次に、本発明の第１の実施例によるナースコール装置の第２の動作として、図１の全体構成図および図２のブロック図に示す子機１ａ、１ｂ、・・・、２ａ、２ｂ、・・・、・・・のうち、子機１ａと外部電源４０とを結ぶ電源ケーブル４１が脱落や断線している場合等において、外部電源４０からの電源は、電源ケーブル４１を介して本体５２へは供給されず、電源供給の停止を図２のブロック図に示す電源回路７６を介して検出する電源脱落検出回路７７のリレー７７ａは、子機Ｉ／Ｆ７８の低インピーダンス素子回路７８ａを構成するスイッチ素子を切り換えてメイクさせることにより、子機接続ラインＬ１ａの２線ケーブル間および子機接続ラインＬ１ａ、図１の全体構成図に示すプレート子機１１ａを介してプレート子機接続ラインＬ１１ａの２線ケーブル間は低インピーダンスとなる。また、２線ケーブル間が低インピーダンスの子機接続ラインＬ１ａには、上述の第１の動作と同様、呼出信号Ｓ１が出力される。この呼出信号Ｓ１は、プレート子機１１ａ、２線ケーブル間が低インピーダンスのプレート子機接続ラインＬ１１ａを介して廊下灯２１に伝送される。
【００２８】
図１の全体構成図において、プレート子機１１ａからの呼出信号Ｓ１が入力された廊下灯２１は、子機接続ラインＬ１ａの２線ケーブル間および子機接続ラインＬ１ａ、プレート子機１１ａを介してプレート子機接続ラインＬ１１ａの２線ケーブル間が低インピーダンスであることを検出するとともに、上述の第１の動作と同様な呼出表示を行い、併せて、呼出信号Ｓ１に病室番号「１０１」およびベッド番号「１」を付加させた呼出信号Ｓ１ａを出力する。この呼出信号Ｓ１ａは、２線ケーブルを構成する廊下灯接続ラインＬ２０、制御機３１、２線ケーブルを構成する親機接続ラインＬ２１を介してナースコール親機３０に伝送される。
【００２９】
図１の全体構成図において、廊下灯２１からの呼出信号Ｓ１ａが入力されたナースコール親機３０は、呼出信号Ｓ１ａに含まれている病室番号「１」およびベッド番号「１」に該当するベッドの患者から呼び出しがある旨をナースステーション内に居る看護師に対して呼出報知させるため、該当する表示灯（図示せず）を点滅／点灯して呼出表示を行うとともに、呼出音を鳴動して呼出発報を行う。ここで、看護師がナースコール親機３０のハンドセットを取り上げて呼出応答すると、上述の第１の動作と同様の通話路が形成された通話相手先のプレート子機１１ａの通話機能（詳述せず）による患者からの音声信号により、外部電源４０から電源ケーブル４１を介して子機１ａへの電源供給が停止されていることを確認でき、迅速な対応が可能となる、または上述の呼出報知（呼出表示／発報）の時間が子機１ａからの通常呼び出しの場合における呼出報知（呼出表示／発報）の時間と比較して継続して行われることにより、外部電源４０から電源ケーブル４１を介して子機１ａへの電源供給が停止されていることを確認でき、迅速な対応が可能となる。
【００３０】
なお、本発明の第１の実施例によるナースコール装置では、子機１ａ、１ｂ、・・・、２ａ、２ｂ、・・・、・・・と外部電源４０とを結ぶ電源ケーブル４１の脱落や断線等により、外部電源４０から子機１ａ、１ｂ、・・・、２ａ、２ｂ、・・・、・・・への電源供給が停止されたことを電源脱落検出回路７７にて検出するとともに、この電源脱落検出回路７７の制御により子機１ａ、１ｂ、・・・、２ａ、２ｂ、・・・、・・・と廊下灯２１、２２、・・・との間を結ぶ２線ケーブル間を低インピーダンスにし、廊下灯側で２線ケーブルの電圧を検出してナースコール親機３０にて呼出報知させたが、本発明の他の実施例として、廊下灯２１、２２、・・・および制御機３１が不要とされ、外部電源４０から子機１ａ、１ｂ、・・・、２ａ、２ｂ、・・・、・・・への電源供給が停止されたことを、子機１ａ、１ｂ、・・・、２ａ、２ｂ、・・・、・・・とナースステーション内に設置された制御機能付ナースコール親機との間を結ぶ２線ケーブル間を低インピーダンスにし、当該制御機能付ナースコール親機側で２線ケーブルの電圧を検出して呼出報知させるナースコール装置を、以下、本発明の第２の実施例によるナースコール装置として図面を参照して説明する。
【００３１】
図３は、本発明の第２の実施例によるナースコール装置を示す全体構成図である。
【００３２】
図３の全体構成図に示すナースコール装置は、病室内のベッド毎、上述の第１の実施例と同様、１０１号室内、１０２号室内、・・・でベッド番号が「１」、「２」、・・・、「１」、「２」、・・・、・・・のようにそれぞれ割り当てられたベッド毎に設置され、電源ケーブル４１を介して接続された外部電源４０からの電源供給が動作電源となり、ベッド毎の患者が看護師、例えば、ナースステーション内に居る看護師を音声で呼び出すための子機１ａ、１ｂ、・・・、２ａ、２ｂ、・・・、・・・と、２線ケーブルを構成する子機接続ラインＬ１ａ、Ｌ１ｂ、・・・、Ｌ２ａ、Ｌ２ｂ、・・・、・・・を介して接続された子機１ａ、１ｂ、・・・、２ａ、２ｂ、・・・、・・・とともに病室内のベッド毎に設置、通常、ベッド毎の壁面に設置されており、ベッド毎の患者が上述の看護師との間で通話を成立させるためのプレート子機１１ａ、１１ｂ、・・・、１２ａ、１２ｂ、・・・、・・・と、ナースステーション内に設置され、プレート子機１１ａ、１１ｂ、・・・、１２ａ、１２ｂ、・・・、・・・が２線ケーブルを構成する第１のプレート子機接続ラインＬ３１ａ、Ｌ３１ｂ、・・・、Ｌ３２ａ、Ｌ３２ｂ、・・・、・・・を介して個別接続されているとともに２線ケーブルを構成する第２のプレート子機接続ラインＬ４０を介してバス接続されており、子機１ａ、１ｂ、・・・、２ａ、２ｂ、・・・、・・・からの音声による呼び出し、または外部電源４０から電源ケーブル４１を介して子機１ａ、１ｂ、・・・、２ａ、２ｂ、・・・、・・・への電源供給の停止による呼び出しがある旨を呼出報知（呼出表示／発報）し、これらの呼び出し確認した看護師が呼出元の患者との間で通話を成立させるための制御機能付ナースコール親機８０とで構成されている。
【００３３】
なお、図３の全体構成図において、プレート子機１１ａ、１１ｂ、・・・、１２ａ、１２ｂ、・・・、・・・と制御機能付ナースコール親機８０とを接続する第１のプレート子機接続ラインＬ３１ａ、Ｌ３１ｂ、・・・、Ｌ３２ａ、Ｌ３２ｂ、・・・、・・・および第２のプレート子機接続ラインＬ４０のうち、第１のプレート子機接続ラインＬ３１ａ、Ｌ３１ｂ、・・・、Ｌ３２ａ、Ｌ３２ｂ、・・・、・・・は、プレート子機１１ａ、１１ｂ、・・・、１２ａ、１２ｂ、・・・、・・・から制御機能付ナースコール親機８０への呼出信号等の制御データや当該制御機能付ナースコール親機から当該プレート子機への音声信号の伝送線路であり、第２のプレート子機接続ラインＬ４０は、プレート子機１１ａ、１１ｂ、・・・、１２ａ、１２ｂ、・・・、・・・から制御機能付ナースコール親機８０への音声信号の伝送線路である。
【００３４】
また、本発明の第２の実施例によるナースコール装置において、子機１ａ、１ｂ、・・・、２ａ、２ｂ、・・・、・・・の具体的な構成は、上述の第１の実施例に適用させた図１の全体構成図および図２のブロック図に示す当該子機と同様な構成／接続であることにより、説明は省略する。
【００３５】
このように構成された本発明の第２の実施例によるナースコール装置において、以下、具体的な動作について図面を参照して説明する。
【００３６】
本発明の第２の実施例によるナースコール装置の第１の動作として、図３の全体構成図および図２のブロック図に示す子機１ａ、１ｂ、・・・、２ａ、２ｂ、・・・、・・・と外部電源４０とを結ぶ電源ケーブル４１が脱落や断線していない場合等、すなわち、正常給電時において、外部電源４０からの電源は、電源ケーブル４１を介して子機１ａ、１ｂ、・・・、２ａ、２ｂ、・・・、・・・の本体５２にそれぞれ供給され、この電源は、図２のブロック図に示す本体５２の電源回路７６を介して安定化された後、当該子機の構成各部／回路の動作電源となる。また、上述の正常給電時において、子機Ｉ／Ｆ７８の低インピーダンス素子回路７８ａを構成するスイッチ素子はブレイクされており、子機接続ラインＬ１ａ、Ｌ１ｂ、・・・、Ｌ２ａ、Ｌ２ｂ、・・・、・・・の２線ケーブル間および子機接続ラインＬ１ａ、Ｌ１ｂ、・・・、Ｌ２ａ、Ｌ２ｂ、・・・、・・・、図３の全体構成図に示すプレート子機１１ａ、１１ｂ、・・・、１２ａ、１２ｂ、・・・、・・・を介して第１のプレート子機接続ラインＬ３１ａ、Ｌ３１ｂ、・・・、Ｌ３２ａ、Ｌ３２ｂ、・・・、・・・の２線ケーブル間は高インピーダンスである。
【００３７】
上述のような正常給電時における待受状態において、第１の実施例の第１の動作と同様、図３の全体構成図および図２のブロック図に示す子機１ａ、１ｂ、・・・、２ａ、２ｂ、・・・、・・・のうち、１０１号室内でベッド番号が「１」のベッドに設置されている図２のブロック図に示す子機１ａの直流レベル比較回路７５にて比較される第１のレベル変換回路７３からの第１の直流レベルＶ１および第２のレベル比較回路７４からの第２の直流レベルＶ２がＶ１＞Ｖ２の場合、これを検出した直流レベル比較回路７５のリレー７５ａの制御により、子機Ｉ／Ｆ７８の低インピーダンス素子回路７８ａを構成するスイッチ素子が切り換えられてメイクされ、子機接続ラインＬ１ａの２線ケーブル間および子機接続ラインＬ１ａ、図３の全体構成図に示すプレート子機１１ａを介して第１のプレート子機接続ラインＬ３１ａの２線ケーブル間は低インピーダンスとなる。また、２線ケーブル間が低インピーダンスの子機接続ラインＬ１ａには、呼出信号Ｓ１１が出力される。この呼出信号Ｓ１１は、プレート子機１１ａ、２線ケーブル間が低インピーダンスの第１のプレート子機接続ラインＬ３１ａを介して制御機能付ナースコール親機８０に伝送される。
【００３８】
なお、図２のブロック図に示す子機１ａにおいて、上述の直流レベルがＶ１＜Ｖ２の場合には、これを検出した直流レベル比較回路７５のリレー７５ａは、子機Ｉ／Ｆ７８の低インピーダンス素子回路７８ａを構成するスイッチ素子をブレイクのまま保持させることにより、子機接続ラインＬ１ａの２線ケーブル間および子機接続ラインＬ１ａ、図３の全体構成図に示すプレート子機１１ａを介して第１のプレート子機接続ラインＬ３１ａの２線ケーブル間についても高インピーダンスのまま保持されて呼出信号Ｓ１１の伝送もなく、ゆえに、呼出元の環境下で発生した周囲音による誤った呼び出しを防止できる。
【００３９】
図３の全体構成図において、プレート子機１１ａからの呼出信号Ｓ１１が入力された制御機能付ナースコール親機８０は、子機接続ラインＬ１ａの２線ケーブル間および子機接続ラインＬ１ａ、プレート子機１１ａを介して第１のプレート子機接続ラインＬ３１ａの２線ケーブル間が低インピーダンスであることを検出するとともに、第１のプレート子機接続ラインＬ３１ａに予め割り当てられているベッド番号「１」に該当するベッドの患者から呼び出しがある旨を１０１号室の出入口近傍に居る人物、例えば、巡回中の看護師に対して呼出報知させるため、該当する表示灯（図示せず）を点滅／点灯して呼出表示を行うとともに、呼出音を鳴動して呼出発報を行う。また、上述の呼出報知（呼出表示／発報）を確認した看護師が、制御機能付ナースコール親機８０にて適宜、呼出応答、例えば、ハンドセットを取り上げると、このハンドセットと、２線ケーブルを構成する第２のプレート子機接続ラインＬ４０を介してプレート子機１１ａの通話機能（詳述せず）との間の通話路が形成され、形成された通話路を介して音声信号を送受信させることにより通話が成立する。
【００４０】
次に、本発明の第２の実施例によるナースコール装置の第２の動作として、図３の全体構成図および図２のブロック図に示す子機１ａ、１ｂ、・・・、２ａ、２ｂ、・・・、・・・のうち、上述の第１の実施例の第２の動作と同様、子機１ａと外部電源４０とを結ぶ電源ケーブル４１が脱落や断線している場合等において、外部電源４０からの電源は、電源ケーブル４１を介して本体５２へは供給されず、電源供給の停止を図２のブロック図に示す電源回路７６を介して検出する電源脱落検出回路７７のリレー７７ａは、子機Ｉ／Ｆ７８の低インピーダンス素子回路７８ａを構成するスイッチ素子を切り換えてメイクさせることにより、子機接続ラインＬ１ａの２線ケーブル間および子機接続ラインＬ１ａ、図３の全体構成図に示すプレート子機１１ａを介して第１のプレート子機接続ラインＬ３１ａの２線ケーブル間は低インピーダンスとなる。また、２線ケーブル間が低インピーダンスの子機接続ラインＬ１ａには、上述の第１の動作と同様、呼出信号Ｓ１１が出力される。この呼出信号Ｓ１１は、プレート子機１１ａ、２線ケーブル間が低インピーダンスの第１のプレート子機接続ラインＬ３１ａを介して制御機能付ナースコール親機８０に伝送される。
【００４１】
図３の全体構成図において、プレート子機１１ａからの呼出信号Ｓ１１が入力された制御機能付ナースコール親機８０は、子機接続ラインＬ１ａの２線ケーブル間および子機接続ラインＬ１ａ、プレート子機１１ａを介して第１のプレート子機接続ラインＬ３１ａの２線ケーブル間が低インピーダンスであることを検出するとともに、第１のプレート子機接続ラインＬ３１ａに予め割り当てられているベッド番号「１」に該当するベッドの患者から呼び出しがある旨をナースステーション内に居る看護師に対して呼出報知させるため、該当する表示灯（図示せず）を点滅／点灯して呼出表示を行うとともに、呼出音を鳴動して呼出発報を行う。ここで、看護師が制御機能付ナースコール親機８０のハンドセットを取り上げて呼出応答すると、上述の第２の実施例の第１の動作と同様の通話路が形成された通話相手先のプレート子機１１ａの通話機能（詳述せず）による患者からの音声信号により、外部電源４０から電源ケーブル４１を介して子機１ａへの電源供給が停止されていることを確認でき、迅速な対応が可能となる、または上述の呼出報知（呼出表示／発報）の時間が子機１ａからの通常呼び出しの場合における呼出報知（呼出表示／発報）の時間と比較して継続して行われることにより、外部電源４０から電源ケーブル４１を介して子機１ａへの電源供給が停止されていることを確認でき、迅速な対応が可能となる。
【００４２】
なお、本発明の第１、第２の各実施例によるナースコール装置において、図１および図３の全体構成図に示すプレート子機１１ａ、１１ｂ、・・・、１２ａ、１２ｂ、・・・、・・・には、通常、ベッド毎の患者が上述の看護師を手動で呼び出すための機能が備えられており、この呼出機能を能動として呼出操作を行うと、ナースステーション内に居る看護師を呼び出して通話を成立させることもできる。
【００４３】
【発明の効果】
以上の説明から明らかなように、本発明のナースコール装置によれば、病室内のベッド毎に設置される子機と外部電源とを結ぶ電源ケーブルの脱落や断線等により、外部電源からの電源供給が停止されたことを、ナースステーション内に設置されたナースコール親機にて呼出報知でき、これを確認した看護師による迅速な対応が可能となる。
【図面の簡単な説明】
【図１】本発明の第１の実施例によるナースコール装置を示す全体構成図である。
【図２】本発明の第１、第２の各実施例によるナースコール装置において、子機の具体的な構成を示すブロック図である。
【図３】本発明の第２の実施例によるナースコール装置を示す全体構成図である。
【符号の説明】
１ａ、１ｂ、・・・、２ａ、２ｂ、・・・、・・・　・・・・・子機
２１、２２、・・・　・・・・・廊下灯
３０・・・・・ナースコール親機
３１・・・・・制御機
４０・・・・・外部電源
７７・・・・・電源脱落検出回路
７８ａ・・・・・低インピーダンス素子回路
８０・・・・・制御機能付ナースコール親機
【図１】
2004112015.tif 000003
【図２】
2004112015.tif 000004
【図３】
2004112015.tif 000005